【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
複数の機器と通信可能な管理装置であって、
前記複数の機器全体の目標消費電力量と、省電力制御を行う期間の設定を受け付ける受付手段と、
前記目標消費電力量に基づいて各機器の目標消費電力量を算出して各機器に設定する設定手段と、
第１の機器の前記期間内の消費電力量が当該第１の機器の目標消費電力量に到達した場合、前記第１の機器以外の機器それぞれが前記期間内に消費した消費電力量に基づき、機器の目標消費電力量の少なくとも一部を分配可能な第２の機器を選択し、前記第１及び第２の機器の目標消費電力量を更新するよう制御する制御手段と、
を有することを特徴とする管理装置。
【請求項２】
前記制御手段は、前記期間内に消費した機器の消費電力量と当該機器の目標消費電力量との差が最大の機器を前記複数の機器から前記第２の機器として選択するよう制御することを特徴とする請求項１に記載の管理装置。
【請求項３】
前記制御手段は、前記期間の終了までに各対応する機器の目標消費電力量に到達しない機器が複数ある場合、当該複数の機器のそれぞれから均等に、各対応する機器の目標消費電力量を前記第１の機器に分配するように前記第１及び、各対応する機器の省電力移行電力量を更新するよう制御することを特徴とする請求項１に記載の管理装置。
【請求項４】
前記制御手段は、前記期間の終了までに、機器の目標消費電力量に到達しない前記第２の機器を選択するよう制御することを特徴とする請求項１に記載の管理装置。
【請求項５】
前記設定手段は、前記複数の機器の過去の消費電力量の実績に基づいて各機器の目標消費電力量を算出して設定することを特徴とする請求項１乃至３のいずれか１項に記載の管理装置。
【請求項６】
前記設定手段は、前記複数の機器のそれぞれに均等に各機器の目標消費電力量を設定することを特徴とする請求項１乃至４のいずれか１項に記載の管理装置。
【請求項７】
前記複数の機器それぞれが前記期間内に消費した消費電力量と、前記期間終了までの残りの期間とに基づき、前記期間終了時点での前記複数の機器それぞれの消費予測電力量を算出する算出手段を更に有し、
前記制御手段は、前記算出手段により算出された前記消費予測電力量に基づいて前記第２の機器を選択することを特徴とする請求項１に記載の管理装置。
【請求項８】
複数の機器と通信可能な管理装置を制御する制御方法であって、
受付手段が、前記複数の機器全体の目標消費電力量と、省電力制御を行う期間の設定を受け付ける受付工程と、
設定手段が、前記目標消費電力量に基づいて各機器の目標消費電力量を算出して各機器に設定する設定工程と、
制御手段が、第１の機器の前記期間内の消費電力量が当該第１の機器の目標消費電力量に到達した場合、前記第１の機器以外の機器それぞれが前記期間内に消費した消費電力量に基づき、機器の目標消費電力量の少なくとも一部を分配可能な第２の機器を選択し、前記第１及び第２の機器の目標消費電力量を更新するよう制御する制御工程と、
を有することを特徴とする管理装置の制御方法。
【請求項９】
コンピュータを、請求項１乃至７のいずれか１項に記載の管理装置として機能させるためのプログラム。
【手続補正２】
【補正対象書類名】明細書
【補正対象項目名】発明の名称
【補正方法】変更
【補正の内容】
【発明の名称】管理装置、その制御方法及びプログラム
【手続補正３】
【補正対象書類名】明細書
【補正対象項目名】０００９
【補正方法】変更
【補正の内容】
【０００９】
上記目的を達成するために本発明の一態様に係る管理装置は以下のような構成を備える。即ち、
複数の機器と通信可能な管理装置であって、
前記複数の機器全体の目標消費電力量と、省電力制御を行う期間の設定を受け付ける受付手段と、
前記目標消費電力量に基づいて各機器の目標消費電力量を算出して各機器に設定する設定手段と、
第１の機器の前記期間内の消費電力量が当該第１の機器の目標消費電力量に到達した場合、前記第１の機器以外の機器それぞれが前記期間内に消費した消費電力量に基づき、機器の目標消費電力量の少なくとも一部を分配可能な第２の機器を選択し、前記第１及び第２の機器の目標消費電力量を更新するよう制御する制御手段と、を有することを特徴とする。
【手続補正４】
【補正対象書類名】明細書
【補正対象項目名】００１７
【補正方法】変更
【補正の内容】
【００１７】
コントローラユニット１２００は、原稿画像を読み取るスキャナ１０や、印刷を行うプリンタ２０と接続される。またＬＡＮ３３００や無線ＬＡＮ１２５２と接続することで、ホストコンピュータ（不図示）、電力測定装置１０１や管理装置１０６、その他図示しない外部機器と接続している。ＣＰＵ１２０１は、この画像形成装置１０２全体を制御する。ＲＡＭ１２０２は、ＣＰＵ１２０１が動作する際のプログラムを展開するメモリ、及びワークメモリを提供しており、更に画像データ等を一時記憶するためにも使用される。ＲＯＭ１２０３はブートＲＯＭであり、ブートプログラムを格納している。ＨＤＤ１２０４はハードディスクドライブであって、各種ソフトウェア、画像データ、ソフトウェアカウンタ値、目標消費電力量や電力測定装置１０１から受信した消費電力量の情報などを格納する。ソフトウェアカウンタ値は、印刷した画像の枚数をカウントした計数値を格納する。この計数値は、不揮発に記憶されるのであれば、その記憶場所はＨＤＤ１２０４に限らない。操作部インターフェース１２０６は、操作部１４０に表示する画像データを操作部１４０に出力したり、また操作部１４０を使用して使用者が入力した情報をＣＰＵ１２０１に伝える役割をする。ネットワークインターフェース１２１０はＬＡＮ３３００に接続されＬＡＮ３３００との間で情報の入出力を行う。無線通信インターフェース１２７０は、無線ＬＡＮ１２５２との間で情報の入出力を行う。スキャナ・プリンタ通信インターフェース１２０８は、スキャナ１０、プリンタ２０とそれぞれ通信を行うためのインターフェースである。タイマ１２１１は、画像形成装置１０２の時刻の計時や、一定時間間隔で割り込みを発する機能を有している。イメージバス・インターフェース１２０５は、画像データを高速で転送するイメージバス２００８とシステムバス１２０７とを接続し、データ構造を変換するバスブリッジとして機能している。
【手続補正５】
【補正対象書類名】明細書
【補正対象項目名】００１８
【補正方法】変更
【補正の内容】
【００１８】
イメージバス２００８には、以下のデバイスが配置される。ラスタイメージプロセッサ（ＲＩＰ）１２６０は、ＰＤＬコードをビットマップイメージに展開する。デバイスインターフェース１２２０は、スキャナ１０やプリンタ２０に接続され、画像データの同期系／非同期系の変換を行う。スキャナ画像処理部１２８０は、スキャナ１０で原稿を読み取って得られた画像データに対して補正、加工、編集を行う。プリンタ画像処理部１２９０は、プリンタ２２０に出力する画像データに対して補正、解像度変換等を行う。画像回転部１２３０は画像データの回転を行う。画像伸張／圧縮部（ＣＯＤＥＣ）１２４０は、多値画像データの場合はＪＰＥＧで、２値画像データの場合はＪＢＩＧ，ＭＭＲ，ＭＨなどの圧縮伸張処理を行う。
【手続補正６】
【補正対象書類名】明細書
【補正対象項目名】００１９
【補正方法】変更
【補正の内容】
【００１９】
この画像形成装置１０２は、省電力のためのスリープモードを備えている。ＣＰＵ１２０１がこのスリープモードへの動作モード移行制御を行う。つまりＣＰＵ１２０１が画像形成装置１０２の稼動状況を判断して、プリンタ２０，スキャナ１０、操作部１４０などの各部分に対する電力供給を独立して遮断、或いは供給するように制御できる。例えば、スキャナ機能のみ使用する場合は、プリンタ２０やプリンタ画像処理部１２９０への電力供給を遮断する。一方、プリンタ機能のみ使用する場合には、操作部１４０とスキャナ１０やスキャナ画像処理部１２８０等への電力供給を遮断することにより、装置全体の消費電力量を削減する。
【手続補正７】
【補正対象書類名】明細書
【補正対象項目名】００２２
【補正方法】変更
【補正の内容】
【００２２】
なお、この管理装置１０６の構成は、汎用コンピュータの構成を基本にしている。しかしながら本実施形態に係る省電力制御システムにおける消費電力量の管理や目標消費電力量などの設定指示が受け付け可能であれば、この構成に限定されるものではない。例えば、図１に示した画像形成装置の一つがその役割を担ってもよい。
【手続補正８】
【補正対象書類名】明細書
【補正対象項目名】００３４
【補正方法】変更
【補正の内容】
【００３４】
図５において、システム全体の目標消費電力量、制御期間は、それぞれ「３００ＫＷＨ」、「１ヶ月」に設定されており、図６において、期間配分が「５日」、機器配分方法は「実績配分」と設定されている。
【手続補正９】
【補正対象書類名】明細書
【補正対象項目名】００３９
【補正方法】変更
【補正の内容】
【００３９】
Ｐ３＝Ｐ２×（Ｔ１−Ｔ２）／Ｔ１
Ｐ４＝０.８×Ｐ１−（Ｐ２＋Ｐ３）
図８（Ｂ）は、各機器の目標電力量（Ｐ１）、現時点までの累積消費電力量（Ｐ２），５日間終了時点での予測消費電力量（Ｐ３）、及び譲渡可能電力量（Ｐ４）の具体例を示す図である。